Podtech/llm-jp-corpus-v4-ja_patent huggingface dataset:
(57)【要約】【課題】納豆混ぜ器具で、市販の納豆箱に収納されている調味液詰め小袋の破袋を、飛散させずに行うこと。【解決手段】テーブルフォークの櫛刃の両端の、いずれか１本の先端を鋭利に研ぐこと。この場合、安全に役立てるため、選定した櫛刃は他の櫛刃より短く、且つ、フォークの内側に向けて研ぐ。【選択図】図１
2009172340.tif 000002
【特許請求の範囲】
【請求項１】
調味液を詰めた小袋を破袋する機能を備えた、納豆まぜ用テーブルフォーク。
【請求項２】
納豆まぜ用テーブルフォークにおいて、両端の櫛刃の、いずれか１本を選び、他の櫛刃より短くカットして先端を研ぐ。
【請求項３】
納豆混ぜ用のテーブルフォークにおいて、破袋用の櫛刃は、先端を鋭利に研ぐ場合、針先を隣接する櫛刃に向けて研ぐ、ことを特徴とする。
【発明の詳細な説明】
【技術分野】
【０００１】本発明は、納豆のかき混ぜに用いるテーブルフォークに関するものであり、フォークの形状に工夫を加えることにより、調味液入りのポリエチレン製の袋を破袋できるようにしたものである。
【背景技術】
【０００２】従来からテーブルフォーク（以下フォークという）は、普通、櫛刃を４本揃えている。これを納豆のかき混ぜに用いると、箸を用いるよりも有効で便利である。
【発明の開示】
【発明が解決しようとする課題】
【０００３】納豆の多くは、５０グラム前後を発砲プラスチック容器に収納して販売されている。この容器の中には、通常、味付け用の調味液と辛子が、ポリエチレンの小袋に詰められて、収納されている。この袋の破袋は必ずしも容易ではなく、袋が小さいために指で破ると、多くは内容液が指圧で噴射し、手指やテーブルを汚す不都合がある。
【課題を解決するための手段】
【０００４】この課題を解決するための請求項１の発明は、図１−１のように、フォークの櫛刃の両端の、いずれか１本の先端を鋭利に研ぐことである。これにより調味液入り小袋のフィルムに、容易に小穴をあけることができ、手で破るときに起こる、液の飛散を防ぐことができる。【０００５】図３は、小袋（図３−２）を破袋せんとしている斜視図である。袋を櫛刃と鋭く研いだ櫛刃の間に差し込み、袋を引くなどして針をフィルムに突き刺す。【０００６】請求項２の発明は破袋用の針にする櫛刃（図１−１）は、他の櫛刃よりも３ミリメートル以上、短くカットして研ぐことを特徴とする。これにより、フォークを使用後、水洗いするときなどに、他の櫛刃が邪魔をして、指や手が針刃に触れにくくするように働き、安全に役立つ。【０００７】請求項３の発明は、図１−１のように針にする櫛刃をフォークの内側に向けて研ぐことを特徴とする。これにより、水洗いなどで、指や手が針部に触れにくくなり、安全に役立つ。
【発明の効果】
【０００８】本発明によるフォークを用いれば、調味液詰めの小袋に、小穴をあけて破袋することが容易となり、従来頻発していた内容液の飛散が防止できる。また、フォークは部分的改造であるため、フォーク本来の機能を失わないのみならず、納豆のかき混ぜが極めて有効、便利となる。
【発明を実施するための最良の状態】
【０００９】図１はテーブルフォークの櫛刃の一部を加工したことを特徴とする、破袋針つきフォークの平面図である。同図に示すように、フォークの櫛刃の両端のいずれか１本の櫛刃の先端を研いで、針状にすることにより、調味液入りの袋を、内容液を飛散させることなく、破ることができるようになった。
【００１０】図２はフォークの側面図である。図１−１のように、安全に役立つように、研いだ櫛刃は他の櫛刃より短くカットし、その上研磨は内側に向けて加工する。
【産業上の利用の可能性】
【００１１】本発明に係るテーブルフォークは、工業的に量産することが可能であるため、産業上の利用の可能性を有する。
【図面の簡単な説明】
【００１２】
【図１】納豆まぜテーブルフォークの平面図である。
【図２】納豆まぜテーブルフォークの側面図である。
【図３】テーブルフォークによる破袋方法を示す斜視図である。
【符号の説明】
【００１３】１．破袋用に刃先を研いだ櫛刃。
２．調味料詰め袋
【図１】
2009172340.tif 000003
【図２】
2009172340.tif 000004
【図３】
2009172340.tif 000005
(57)【要約】      （修正有）【課題】トイレットペーパーの装着、切断、交換が容易にできかつ芯のとりだしも簡単にできる装置を提供する。【解決手段】Ａ面とＢ面との上部隙間Ｃよりトイレットペーパーを落とし込むと下部隙間ＤはＣより狭いため下方から支えられ固定保持される。これにより装着は上部Ｃより落し込むだけでよい。切断はＢ面上にあるペーパーの先端部を引き出し，適当な長さで突起部Ｅを利用して下方に引き下ろせば容易に出来る。なお，芯の取り出しはＤの隙間と芯の外径が合えば下方に引き出せる。【選択図】図１
2009172075.tif 000002
【特許請求の範囲】
【請求項１】
取付け角度の異なるＡ面とＢ面とに上部隙間Ｃと下部隙間Ｄを設け上部隙間は下部隙間よりも広くしてある。これはペーパーを装着固定するためである。
【請求項２】
装着後固定されたトイレットペーパーはその外周が常にＡ面とＢ面とに接し，なおかつペーパーの重心がＢ面側に位置する。そしてペーパーを引き出すごとにその重心はＡ面側に移行して下部隙間Ｄの中心に達した時，芯の取り出しが容易になる。これは重心の移動を利用した構造物である。
【発明の詳細な説明】
【技術分野】
【０００１】
本発明はトイレットペーパーの装着，切断，固定，交換を容易にしたものである。図１参照のこと。
【背景技術】
【０００２】
ペーパーの片手による切断，ミシン目に頼らないフリーサイズカットを目指したものである。
【０００３】
従来の物件は芯を利用するか底面を利用したものが多かったが，（たとえば特許文献１，特許文献２、特許文献３参照。）本発明はＡ面とＢ面とを利用する為ペーパーの外周と自重のみで固定保持される。図２参照のこと。
【特許文献１】特開２００５−８０９４７号公報
【特許文献２】特開２００６−１２４１０７号公報
【特許文献３】特開平７−２１３４５４号公報
【発明の開示】
【発明が解決しようとする課題】
【０００４】
従来の物件においてはその目的が切断あるいは装着だけといったような単目的のものが多かったが，本発明は装着，トイレットペーパー引き出し後の逆戻り防止，必要な長さでの切断，交換，芯の取出しなどのすべての機能をＡ面とＢ面とによってまかなうものである。
【課題を解決するための手段】
【０００５】
取り付け角度の異なるＡ面とＢ面とを利用する。装着はペーパーを落とし込むだけでよい。切断はＢ面の突起を利用して下方に引きおろせばよい。空芯は下部隙間Ｄを利用すると下方に引き落とせる。図３参照のこと。
【発明の効果】
【０００６】
これを利用することにより片手での作業が可能なため身体のご不自由な方でも容易に使用できる。
【発明を実施するための最良の形態】
【０００７】
トイレットペーパーを引き出すときの回転方向が手前から奥のほうになるように引き出し部分をＢ面に沿わせること。
【実施例】
【０００８】
トイレットペーパーを装着する前に引き出す部分をつまんでそのまま落としこむ。
【０００９】
次にペーパーを引き出し必要な長さになったところで突起部Ｅを利用して下方に引き下ろせば切断できる。
【００１０】
またペーパーの残り量が少なくなり切断が困難になったときは次のペーパーを落とし込んでやれば抵抗が大きくなり切断が容易になる。これはペーパーの交換にもつながる。なお空芯は下部隙間Ｄから落下させるか下方に引き出す。図３参照のこと。
【００１１】
上部のフタにおいては突起部の保護及び予備のペーパーの置き場としての役割も持つ。
【図面の簡単な説明】
【００１２】
【図１】ペーパーの装着
【図２】ペーパーの引き出し及び切断
【図３】芯の取出し
【符号の説明】
【００１３】
Ａ  後ろ縦面
Ｂ  前斜面
Ｃ  上部隙間
Ｄ  下部隙間  
Ｅ  突起部
Ｆ  フタ
【図１】
2009172075.tif 000003
【図２】
2009172075.tif 000004
【図３】
2009172075.tif 000005
(57)【要約】【課題】従来のドラム用チューニングキーは演奏時のための張力調整に用いられる場合は微調整なので不都合は感じられないが、メンテナンスやヘッド交換時のように締め付けボルトと受け側の雌ネジが切られたラグを弛め離脱させたり、または咬合し締め付ける場合締め付け幅やタップ部分が長くドラムチューニングキーのハンドル部分を手首の動きを用いて相当数回転させなければならないという問題があった。【解決手段】ハンドル部分に内在させたアームをハンドルの延長線上に伸ばし、ハンドル回転時に遠心力を用い惰性で複数回回転させることができ、円滑に回転させ軸がぶれないように副え部分にニードルベアリングを取り付けたものである【選択図】図１
2009172747.tif 000002
【特許請求の範囲】
【請求項１】
締め付けボルトの頭部形状に適合する多角形の受け口を有する筒状のソケットレンチとＴ字型のハンドルとで構成されているドラム用チューニングキーにおいて、前記締め付けボルトの受け口とハンドル間の回転軸である筒状部分にニードルベアリングを取り付けた副え部分と、回転軸の頭部とハンドルの中心部分に設けた突軸と、ハンドル部分に内在させたアームをハンドルの延長線上に伸ばし、ハンドル部分の長さを可変にすることができることを特徴とするドラム用チューニングキー。
【発明の詳細な説明】
【技術分野】
【０００１】本発明はドラム用チューニングキーに関する。
【背景技術】
【０００２】ドラム用チューニングキーはドラムの打面ヘッドの張力調整時にチューニング用の締め付けボルトを回転させるために用いられる工具で通常図３に示すものが知られている。（例：実開昭５８−４３０３３号公開）ラチェット式やクランク式なども存在する。
【発明の開示】
【発明が解決しようとする課題】
【０００３】従来のドラムチューニングキーは演奏時のための張力調整に用いられる場合は微調整なので不都合は感じられないがメンテナンスやヘッド交換時のように図２締め付けボルトａと受け側の雌ネジが切られたラグｂを弛め離脱させたり、または咬合し締め付ける場合、締め付け幅やタップ部分ｃが長くドラムチューニングキーのハンドル部分を手首の動きを用いて相当数回転させなければならないという問題があった。
【課題を解決するための手段】
【０００４】上記問題を解決するため、ハンドル部分に内在させたアームをハンドルの延長線上に伸ばし、回転軸の頭部とハンドルの中心部分に設けた突軸をまわし、ハンドル回転時に遠心力を用い惰性で複数回回転させることができ、円滑に回転させ軸がぶれないように副え部分にニードルベアリングを取り付けたものである。
【発明の効果】
【０００５】ドラムヘッドに張力のない状態のドラムヘッドの取り外しや取り付け時の締め付けボルトａと雌ネジが切られたラグｂとの負荷が減少しているとき、アームを伸ばし突軸６を用いて遠心力により勢いよくハンドルを回転させることによりメンテナンス時やヘッド交換作業時間を格段に短縮することができる。
【発明を実施するための最良の形態】
【実施例１】
【０００６】図１の１はハンドルであり、このハンドルを回転させることにより回転軸７の下部先端部ソケット２の多角形の受け口３に図２締め付けボルト頭部ａ′を挿入し回転させドラムヘッドの張力を締めたり弛めたりする。【０００７】図１ハンドルのそれぞれ両端に蝶番５を設けそこを軸にして、ハンドルに平行し内側に折りたたんでいるアーム８を設け、アームはハンドルの延長線上に伸ばすことができ、また回転軸の頭部にハンドルを効率よくコマのように摘んで回す突軸６を設け、本体が回転する際のぶれを抑えるためソケット２とハンドル１の間の回転軸７にニールドベアリング４を設ける。
【実施例２】
【０００８】また図４のように、ハンドル１に内在させたハンドル先端部分のアーム１０の延伸を係止させるためにに設けた突起９と突起９に沿ってスライドするように形状されたアーム１０を設け、アームはハンドルの延長線上に伸ばすことができ、アーム収納時にスライドを係止させるための突起１１をハンドルの中心部近くに設け、また回転軸の頭部にハンドルを効率よくコマのように摘んで回す突軸６を設け、本体が回転する際のぶれを抑えるためソケット２とハンドル１の間の回転軸７にニールドベアリング４を設ける。【０００９】実施例はアームはハンドルに対して外設されているが、アームをハンドルの中に内設し、遠心力を増すためにアームの先端に、より重量を持たせる形状を持たせるなどの実施例も考えられる。
【図面の簡単な説明】
【図１】本発明に係わるドラム用チューニングキーの一実施形態を示す正面図と側面図。
【図２】ドラム用チューニングキーが用いられる周辺外観図。
【図３】従来のドラム用チューニングキーの斜視図。
【図４】本発明に係わるドラム用チューニングキーの一実施形態を示す正面図と側面図。
【符号の説明】
１：ハンドル
２：ソケット
３：受け口
４：ニードルベアリング
５：蝶番
６：突軸
７：回転軸
８：アーム
９：突起
１０：アーム
１１：突起
ａ：締め付けボルト
ａ′：締め付けボルト頭部
ｂ：ラグ
ｃ：締め付けボルトとラグの咬合部分
【図１】
2009172747.tif 000003
【図２】
2009172747.tif 000004
【図３】
2009172747.tif 000005
【図４】
2009172747.tif 000006
(57)【要約】【課題】ウェハの外周のチッピングを抑えるとともに、任意の表面粗さの梨地状にウェハの表面を加工する。【解決手段】ダイヤモンド砥粒３ａを含むダイヤモンドペースト３を炭化ケイ素単結晶ウェハ１の表面に塗布し、塗布したダイヤモンドペースト３に超音波を照射することによりダイヤモンドペースト３に含まれるダイヤモンド砥粒３ａを振動させ、炭化ケイ素単結晶ウェハ１の表面に衝突させることで炭化ケイ素単結晶ウェハ１の表面を梨地状に加工する。【選択図】図１
2009172717.tif 000002
【特許請求の範囲】
【請求項１】
砥粒を含むスラリーをウェハの表面に塗布する工程と、
前記スラリーに超音波を照射することにより前記スラリーに含まれる砥粒を振動させ、前記ウェハの表面に衝突させることで梨地状に前記ウェハの表面を加工する工程と
を含むことを特徴とするウェハの製造方法。
【請求項２】
前記ウェハが炭化ケイ素単結晶ウェハであることを特徴とする請求項１に記載のウェハの製造方法。
【請求項３】
前記砥粒が、ダイヤモンド砥粒、炭化ホウ素砥粒、及び炭化ケイ素砥粒のいずれかであることを特徴とする請求項１又は２に記載のウェハの製造方法。
【発明の詳細な説明】
【技術分野】
【０００１】
本発明は、ウェハの表面を梨地状に加工するウェハの製造方法に関する。
【背景技術】
【０００２】
従来、ブラスト加工を応用して、すりガラスのように光が乱反射する微細な凹凸を有する梨地状にウェハの表面を加工する技術が知られている。
【特許文献１】特開２０００−２１７８６号公報
【発明の開示】
【発明が解決しようとする課題】
【０００３】
しかしながら、上記のブラスト加工による梨地加工には、ウェハの外周にチッピングが発生しやすいという問題がある。なお、この問題を解消する方法として、加工圧や粒径などのブラスト条件を変更する方法が考えられるが、この方法を用いた場合は加工面の表面粗さも同時に変化してしまう。
【０００４】
本発明は、上記の事情に鑑みてなされたものであり、その目的とするところは、ウェハの外周のチッピングを抑えるとともに、任意の表面粗さの梨地状にウェハの表面を加工することができるウェハの製造方法を提供することにある。
【課題を解決するための手段】
【０００５】
本発明に係るウェハの製造方法は、上記の課題を解決するために、砥粒を含むスラリーをウェハの表面に塗布する工程と、塗布したスラリーに超音波を照射することによりスラリーに含まれる砥粒を振動させ、ウェハの表面に衝突させることでウェハの表面を梨地状に加工する工程とを含むことを特徴とする。
【発明の効果】
【０００６】
本発明に係るウェハの製造方法によれば、ウェハの外周のチッピングを極めて少なく抑えるとともに、任意の表面粗さの梨地状にウェハの表面を加工することができる。
【発明を実施するための最良の形態】
【０００７】
以下、本発明に係るウェハの製造方法を実施例に基づき説明する。
【０００８】
［実施例１］
実施例１では、図１に示すように、φ２ｉｎｃｈの炭化ケイ素単結晶ウェハ１をウェハ支持台２にワックスなどで固定し、平均粒径６μｍのダイヤモンド砥粒３ａを含むダイヤモンドペースト３を炭化ケイ素単結晶ウェハ１の表面に塗布し、塗布したダイヤモンドペースト３に超音波を照射することによりダイヤモンドペースト３に含まれるダイヤモンド砥粒３ａを振動させ、炭化ケイ素単結晶ウェハ１の表面に衝突させることで表面粗さＲａ（中心線平均粗さ）＝０．１９μｍの図２に示すような梨地状に炭化ケイ素単結晶ウェハ１の表面を加工した。なお、超音波の照射は、超音波振動子４により発生させ、コーン５及びホーン６により増幅させた超音波を炭化ケイ素単結晶ウェハ１の面内方向を所定の周期及び速度で移動するホーン６の先端からダイヤモンドペースト３に照射することで行った。
【０００９】
［実施例２］
実施例２では、ダイヤモンドペースト３に含まれるダイヤモンド砥粒３ａを平均粒径９μｍのものとした以外は上記の実施例１と同様であり、表面粗さＲａ＝０．２３μｍの梨地状に炭化ケイ素単結晶ウェハ１の表面を加工した。
【００１０】
［実施例３］
実施例３では、ダイヤモンドペースト３に含まれるダイヤモンド砥粒３ａを平均粒径１２μｍのものとした以外は上記の実施例１と同様であり、表面粗さＲａ＝０．３３μｍの梨地状に炭化ケイ素単結晶ウェハ１の表面を加工した。
【００１１】
［実施例４］
実施例４では、ダイヤモンドペースト３に含まれるダイヤモンド砥粒３ａを平均粒径２０μｍのものとした以外は上記の実施例１と同様であり、表面粗さＲａ＝０．４２μｍの梨地状に炭化ケイ素単結晶ウェハ１の表面を加工した。
【００１２】
［比較例］
比較例では、平均粒径５０μｍの炭化ケイ素砥粒を用いてφ２ｉｎｃｈの炭化ケイ素単結晶ウェハ１の表面をブラスト加工することで表面粗さＲａ＝０．４３μｍの梨地状に炭化ケイ素単結晶ウェハ１の表面を加工した。
【００１３】
［評価］
実施例１〜４及び比較例の炭化ケイ素単結晶ウェハ１についてウェハ１枚当たりのチッピング不良数（以降、欠点率と表記）をウェハ枚数１０枚で測定した結果を以下の表１に示す。なお、測定に当たっては、チッピングを、ウェハ半径方向に２５０μｍ以上又はウェハ縁周方向に２５０μｍ以上欠けているものと定義した。
【表１】
2009172717.tif 000003
【００１４】
表１に示すとおり、実施例１〜４の炭化ケイ素単結晶ウェハ１の欠点率はすべて０．００であった。これに対して、比較例の炭化ケイ素単結晶ウェハ１の欠点率は０．５９であった。このことから、炭化ケイ素単結晶ウェハ１の表面にダイヤモンドペースト３を塗布し、塗布したダイヤモンドペースト３に超音波を照射することで炭化ケイ素単結晶ウェハ１の表面を梨地状に加工するウェハの製造方法によれば、炭化ケイ素単結晶ウェハ１の外周のチッピングを極めて少なく抑えるとともに、炭化ケイ素単結晶ウェハ１の表面を任意の表面粗さの梨地状に加工することができることが知見された。なお、上記の各実施例では、ダイヤモンドペースト３を用いたが、これに限らず、炭化ケイ素砥粒や炭化ホウ素砥粒などを含むスラリーとしても同様の効果が発揮される。
【図面の簡単な説明】
【００１５】
【図１】本発明に係るウェハの製造方法を示す図である。
【図２】本発明に係るウェハの製造方法によって所定の表面粗さの梨地状に加工された炭化ケイ素単結晶ウェハの表面を例示する図である。
【符号の説明】
【００１６】
１  炭化ケイ素単結晶ウェハ
２  ウェハ支持台
３  ダイヤモンドペースト
３ａ  ダイヤモンド砥粒
４  超音波振動子
５  コーン
６  ホーン
【図１】
2009172717.tif 000004
【図２】
2009172717.tif 000005
(57)【要約】【課題】スラリーの制御を複雑に行うことなく、研磨加工後におけるウェハの厚さを均一にする。【解決手段】ウェハ支持台回転軸３及びウェハ支持台２を上下方向に貫くスラリー供給口４からダイヤモンド砥粒５ａを含むスラリー５を研磨定盤６の研磨面６ａに供給する。【選択図】図２
2009172737.tif 000002
【特許請求の範囲】
【請求項１】
ウェハの表面を研磨するための研磨面を上部に有する研磨定盤と、
前記研磨定盤の下面に設けられ、上下方向を軸として該研磨定盤を回転させる研磨定盤回転軸と、
前記研磨定盤の研磨面に対して下面に貼付されるウェハを押圧可能に設置されたウェハ支持台と、
前記ウェハ支持台の上面に設けられ、上下方向を軸として該ウェハ支持台を回転させるウェハ支持台回転軸と、
前記ウェハ支持台回転軸及び前記ウェハ支持台を上下方向に貫くスラリー供給口と
を備え、
前記ウェハ支持台回転軸及び前記研磨定盤回転軸により前記ウェハ支持台及び前記研磨定盤を回転させた状態で前記スラリー供給口から前記研磨定盤の研磨面に砥粒を含むスラリーを供給しながら前記ウェハ支持台の下面に貼り付けられたウェハを前記研磨定盤の研磨面に押し付けることで該ウェハの表面を研磨して平坦に加工することを特徴とするウェハの研磨装置。
【請求項２】
請求項１に記載のウェハの研磨装置をもちいてウェハの表面を平坦にする工程を含むことを特徴とするウェハの製造方法。
【請求項３】
前記ウェハが炭化ケイ素単結晶ウェハであることを特徴とする請求項２に記載のウェハの製造方法。
【発明の詳細な説明】
【技術分野】
【０００１】
本発明は、ウェハの表面を研磨して平坦に加工するウェハの研磨装置及び製造方法に関する。
【背景技術】
【０００２】
従来、ウェハ支持台の外側から研磨定盤の研磨面に砥粒を含むスラリーを供給しながらウェハ支持台及び研磨定盤を回転させた状態でウェハ支持台の下面に貼り付けられたウェハを研磨定盤の研磨面に押し付けることでウェハの表面を研磨して平坦に加工するウェハの研磨装置が知られている。ところが、この研磨装置によれば、ウェハ支持台の外側から研磨定盤の研磨面にスラリーを供給するので、ウェハ支持台の回転軸付近にスラリーが到達しにくく、研磨加工後におけるウェハの厚さが不均一になることがある。このような背景から、研磨定盤の内側からその研磨面にスラリーを供給するようにしたウェハの研磨装置が提案されている（特許文献１参照）。
【特許文献１】特開平５−１３３８９号公報
【発明の開示】
【発明が解決しようとする課題】
【０００３】
しかしながら、提案されている上記の研磨装置では、研磨定盤に設けられた複数のスラリー供給口からその研磨面にスラリーを供給するためにスラリーの制御が難しい。
【０００４】
本発明は、上記の事情に鑑みてなされたものであり、その目的とするところは、スラリーの制御を行うことなく、研磨加工後におけるウェハの厚さを均一にすることができるウェハの研磨装置及び製造方法を提供することにある。
【課題を解決するための手段】
【０００５】
本発明に係るウェハの研磨装置は、上記の課題を解決するために、ウェハの表面を研磨するための研磨面を上部に有する研磨定盤と、研磨定盤の下面に設けられ、上下方向を軸としてこの研磨定盤を回転させる研磨定盤回転軸と、研磨定盤の研磨面に対して下面に貼付されるウェハを押圧可能に設置されたウェハ支持台と、ウェハ支持台の上面に設けられ、上下方向を軸としてこのウェハ支持台を回転させるウェハ支持台回転軸と、ウェハ支持台回転軸及びウェハ支持台を上下方向に貫くスラリー供給口とを備え、ウェハ支持台回転軸及び研磨定盤回転軸によりウェハ支持台及び研磨定盤を回転させた状態でスラリー供給口から研磨定盤の研磨面に砥粒を含むスラリーを供給しながらウェハ支持台の下面に貼り付けられたウェハを研磨定盤の研磨面に押し付けることでこのウェハの表面を研磨して平坦に加工することを特徴とする。
【発明の効果】
【０００６】
本発明に係るウェハの研磨装置によれば、ウェハ支持台回転軸及びウェハ支持台を上下方向に貫くスラリー供給口から研磨定盤の研磨面に砥粒を含むスラリーを供給するので、スラリーの制御を行うことなく、研磨加工後におけるウェハの厚さを均一にすることができる。
【発明を実施するための最良の形態】
【０００７】
以下、本発明に係るウェハの研磨装置及び製造方法を実施例に基づき説明する。
【０００８】
［実施例］
実施例では、図１に示すように、φ３ｉｎｃｈの炭化ケイ素単結晶ウェハ１をφ１８０ｍｍのウェハ支持台２に３枚貼り付けて固定し、図２に示すように、ウェハ支持台回転軸３及びウェハ支持台２を上下方向に貫くスラリー供給口４から研磨定盤６の研磨面６ａに平均粒径１μｍのダイヤモンド砥粒５ａを含むスラリー５を供給しながらウェハ支持台回転軸３及び研磨定盤回転軸７によりウェハ支持台２及び研磨定盤６を回転させた状態でウェハ支持台２の下面に貼り付けられた炭化ケイ素単結晶ウェハ１を研磨定盤６の研磨面６ａに押し付けることで炭化ケイ素単結晶ウェハ１の表面を研磨して平坦に加工した。
【０００９】
［比較例］
比較例では、図３に示すように、ウェハ支持台２の外側にあるスラリー供給系８から研磨定盤６の研磨面６ａに平均粒径１μｍのダイヤモンド砥粒５ａを含むスラリー５を供給したこと以外は上記の実施例と同様の方法で炭化ケイ素単結晶ウェハ１の表面を研磨して平坦に加工した。
【００１０】
［評価］
実施例及び比較例の炭化ケイ素単結晶ウェハ１について、ウェハ支持台２の回転軸からの距離に対する、研磨加工前後におけるウェハの厚さを測定した結果をそれぞれ図４（ａ）及び（ｂ）に示す。
【００１１】
図４（ａ）に示すように、研磨加工後における実施例の炭化ケイ素単結晶ウェハ１は、ウェハ支持台２の回転軸からの距離に対してその厚さが均一となった。これに対して、図４（ｂ）に示すように、研磨加工後における比較例の炭化ケイ素単結晶ウェハ１は、ウェハ支持台２の回転軸から離れるにしたがいその厚さが薄くなった。このことから、ウェハ支持台回転軸３及びウェハ支持台２を上下方向に貫くスラリー供給口４から研磨定盤６の研磨面６ａにダイヤモンド砥粒５ａを含むスラリー５を供給するウェハの研磨装置及び製造方法によれば、スラリー５の制御を行うことなく、研磨加工後における炭化ケイ素単結晶ウェハ１の厚さを均一にすることができることが知見された。
【図面の簡単な説明】
【００１２】
【図１】炭化ケイ素単結晶ウェハが貼り付けられたウェハ支持台の下面を示す図である。
【図２】本発明に係るウェハの研磨装置を示す模式図である。
【図３】従来のウェハの研磨装置を示す模式図である。
【図４】ウェハ支持台の回転軸からの距離に対する、研磨加工前後における実施例及び比較例の炭化ケイ素単結晶ウェハの厚さを示す相関図である。
【符号の説明】
【００１３】
１  炭化ケイ素単結晶ウェハ
２  ウェハ支持台
３  ウェハ支持台回転軸
４  スラリー供給口
５  スラリー
５ａ  ダイヤモンド砥粒
６  研磨定盤
６ａ  研磨面
７  研磨定盤回転軸
８  スラリー供給系
【図１】
2009172737.tif 000003
【図２】
2009172737.tif 000004
【図３】
2009172737.tif 000005
【図４】
2009172737.tif 000006
(57)【要約】【課題】    従来、整髪時には、片手でヘアードライヤー、もう一方の手でブラシまたは櫛を持つ。これではヘアースタイルの細かな調整が難しく、長時間ドライヤーを持ち続けると腕が疲れなどの不具合がある。しかし、現在、ヘアードライヤーを固定するような道具はない。洗面所等には設置道具を置くスペースはない。そのような問題を一挙に解決するものである。【解決手段】    物体の重心を支点の真下に置けば均衡するヤジロベーの原理を応用し、狭いスペースを利用してヘアードライヤーを吊り下げるものである。【選択図】図１
2009172438.tif 000002
【特許請求の範囲】
【請求項１】
ヘアードライヤーをヤジロベーの原理を利用したアームで吊り下げて反対側の支点を物に設置して、ヘアードライヤーを手で持たず整髪することができる。ヤジロベーアームの長さは寸法調節装置を設けて自由自在に変更できる。
【請求項２】
ヤジロベーアームの先端をヘアードライヤーの上部に接合させて使用する。接合部は重心点、重心前点、重心後点があり、接合部の位置を変えてヘアードライヤーの噴出口の角度を調整することができる。ヤジロベーアームは着脱が簡単で切り離して持ち運ぶことができる。                
【請求項３】
ヤジロベーアームの支点の先端の形を変えることでヘアードライヤーの揺れの方向を操作できる。クサビ形の支点の場合、支点の角度を90度変えれば揺れ方向も90度変化する。Ｒ面を持った支点の場合揺れは360度となるが、最小の接着面があればよい。揺れ防止するには接着面を平面にすることでクリアできる。  洗面台、衣装ロッカーの棚の端に設置して利用する。
【請求項４】
ヤジロベーアームの形は自由自在に形成できる。重心がヤジロベーの真下にあればよいのでアームの長さ形を自由に設定できる。デザイン的要素を入れることで室内のインテリアとして利用できる。
【発明の詳細な説明】
【技術分野】
【０００１】
本発明は、ヘアードライヤーを使用するとき両手を自由にして整髪することを可能にしたものである。  
【背景技術】
【０００２】
現在、ヘアードライヤーを使って整髪する時、片手でドライヤーを持ち、もう一方の手でブラシや櫛を持つため、微妙な整髪に時間を要する。
【０００３】
この改善策としてヘアードライヤーを物に設置して使用することにより両手を解放することが可能になった。
【発明の開示】
【発明が解決しようとする課題】
【０００４】
解決しようとする課題は、どのようにしてヘアードライヤーを物に設置するかである。
【課題を解決するための手段】
【０００５】
本発明は、ヤジロベーアームを使用することによりヘアードライヤーを特別なスペースを設けず両手を解放する。ヘアードライヤーの噴射口の向きも容易に変えることができる。着脱、持運びが簡単である。
【発明の効果】
【０００６】
本発明のヤジロベーアームは両手を解放し、ヘアードライヤーは特別なスペースを必要とせず最小限度のヤジロベーアームの支点を置く水平の面さえあればよい。ヤジロベーアームとヘアードライヤーとの接合部分の位置を変えることによりヘアードライヤーからの風の向きを調整することができる。
【発明を実施するための最良の形態】
【０００７】
ヘアードレッサー、ロッカーそして家具等の適当な高さの棚等の端にヤジロベーアームの支点部分を乗せることのできる面を設定することにより実施することができる。
【実施例１】
【０００８】
図１は、ヘアードライヤーを接合したヤジロベーアームを洗面所の棚に設置した時のものである。
【実施例２】
【０００９】
図２は、ヤジロベーアームの支点部分が棚に設置されているところである。
【実施例３】
【００１０】
図３は、ヤジロベーアームとヘアードライヤーの接合部分である。接合は重心点、重心点前後に分けてそれによりドライヤーの噴射口の角度を変えているところである。
【実施例４】
【００１１】
図４は、ヤジロベーアームの長さや形のバリエーションでデザイン的要素を表現したものである。
【産業上の利用可能性】
【００１２】
本発明のヤジロベーアームは支点を支えることのできる最小限度の水平面があれば、ヘアードライヤーを手で持つことなく整髪できる。
【図面の簡単な説明】
【００１３】
【図１】ヘアードライヤーをヤジロベーアームで設置しているころである。（実施例１）
【図２】ヤジロベーアームの支点部分のバリエーションである。（実施例２）
【図３】ヤジロベーアームとヘアードライヤーの接合部分である。（実施例３）
【図４】ヤジロベーアームのバリエーションの例である。（実施例４）
【符号の説明】
【００１４】
1．       
支点
2．       
ヤジロベーアームの本体
3．       
ヤジロベー先端
4．       
ヘアードライヤー接合部
5．       
ドライヤー重心点
6．       
ドライヤー重心前点
7．       
ドライヤー重心後点
8．       
ヘアードライヤー
9．       
化粧台の棚
【図１】
2009172438.tif 000003
【図２】
2009172438.tif 000004
【図３】
2009172438.tif 000005
【図４】
2009172438.tif 000006
(57)【要約】      （修正有）【課題】不動産にかかる住宅情報のなかで、一般的には公開されていない「所在地図」を公開することを通じて、営業の効率化を進める。【解決手段】「所在地図」を既存の会員登録されている先に限り提供する仕組みをつくり、その所在地図の請求をしたとき、どの会員が、どの物件の所在地図を請求したのか、自動的にネットを運営している業者に分かるようにしておく。併せて、非会員には「所在地図」を請求したとき「会員に限り提供」と表示することで、会員のメリットを自然と認識させることができる。加えて「会員登録はコチラ」として会員登録に誘導する仕組みをつくる。こうした一連の仕組みを通して、不動産営業を効率的に進められるようにする。【選択図】なし【特許請求の範囲】
【請求項１】
不動産にかかる住宅情報を、各社ともホームページ上で公開しています。最近のホームページでは物件の「詳細」や「写真」「間取り図」などが掲載されているのが普通になりました。しかし、所在地図までは掲載されていないのが普通です。
【請求項２】
つまり、顧客がネット上で物件を検索しても所在地図が分からないので、その住宅情報を掲載している業者に連絡を取ります。不動産業者側はその問い合わせのあったとき、相手の氏名や電話番号などを聞き出すチャンスが生まれ、顧客として確保することができるからです。
【請求項２】
顧客側にすれば、ネット上で物件検索をしたその時、素早くその場で正確な所在地図も知りたいのが人情です。そこで、事前に会員登録をして頂いている先に限り、ネット上で所在地図を提供できる仕組みを提供しようとするものです。
【請求項３】
会員がネット上で住宅情報を閲覧し、所在地図も欲しいと請求されていることが、不動産業者として把握できなければ顧客として追跡できません。そこで会員が「所在地図」を請求した時、不動産業者側にもそれらの情報が届くような仕組みを作っておきます。
【請求項４】
会員以外の一般客がネット上で物件検索し、所在地図を請求しても資料の提供をお断りします。しかし、所在地図請求のボタンを押したとき「会員に限り提供」と表示されているとストレスを感じます。そうした表示をすることで、会員登録してもよいがどうすればよいのかとなり、会員獲得のチャンスが広がります。
【請求項５】
この場合、「会員に限り提供」の表示に続けて「会員登録はコチラ」としておきます。そのことで容易に会員登録画面に誘導することができ、会員登録して頂ける客を自動的に誘導し、確保することができます。
【請求項６】
不動産は「センミツ」と言われます。千件の物件を紹介しても、成約に結びつくのはその中の３件だという自虐的な例え話です。今回の提案は、こうした非効率的な客付営業を抜本的に解決しようとするものです。
【請求項７】
その内容は
イ、「所在地図」を会員に限定して提供する、
ロ、会員に限り所在地図を提供するが、会員が欲しがっている物件が「何か」という情報    が、自動的に情報提供者にも分かるようにしておく。
ハ、非会員が所在地図のボタンを押しても、「会員に限り提供」と表示することで、スト    レスを感じさせ、会員加入へと誘導できる。
ニ、続けて「会員登録はコチラ」と表示して、その場で会員登録を自動的に行えるように    して、会員加入に誘導する。
ホ、会員が所在地図を入手したとき、どの物件の所在地図を取り出したのか自動的に分か    るようにしてあるので、「誰が」「どの物件」を探しいるのかが分かる。その後、適    宜、会員に連絡して気持ちの進行状況を把握し、必要に応じてより積極的に成約に向    けて営業を図る。
【発明の詳細な説明】
【技術分野】
【００１】ネット上で不動産情報を提供するとき、一般的に行われていない「所在地図」を広く提供することを通じて、様々な情報の獲得を図るものです。
【背景技術】
【００２】ホームページ上で公開する住宅情報に「所在地図」の提供を示すボタンを設ける。【００３】所在地図のボタンを押しても、会員でなければ所在地図が表示されない仕組みにしておく。【００４】所在地図を請求した会員は誰か、どの物件を請求しているのかが、そのサイト運営業者には自動的に分かるような仕組みを設けておく、【００５】非会員が「所在地図」を請求したときは、「会員に限り提供」と表示し、会員になることのメリットを自然と分からせる。【００６】「会員に限り提供」という表示に続けて「会員登録はコチラ」と表示しておくことで、時間をおかずに会員登録するように誘導する。
【発明の開示】
【発明が解決しようとする課題】
【００７】ネット上で提供する住宅情報の内容を充実することで、不動産業の非効率的な営業手法を改善しようとするもの
【課題を解決するための手段】
【発明の効果】
【００８】この制度を採用することで、顧客の期待に応えながら不動産業界の営業手法を近代化することができる。
【発明を実施するための最良の形態】
【００９】ネット上で公開する住宅情報に、一般的には公開されていない「所在地図」の情報を提供する仕組みを導入する。
【実施例】
【００９】株式会社西日本不動産センターが公開するネット「ｈｔｔｐ：／／ｗｗｗ．ｎｉｓｈｉｎｉｈｏｎ．ｃｏ．ｊｐ」において利用している。
(57)【要約】      （修正有）【課題】インターネット環境下で不動産を競売するにあたり、出展者が納得できる金額で落札され、公正な姿で競売が進行するよう図る。【解決手段】物件をインターネット環境下において、不動産物件を競売により売却したいとき、最終応札日以前であれば、出展者が「出展中止」として自由に物件を取り下げたり、そのまま落札を認めることができるようにする。サイトを運営するものは、一目でこれらのことが容易に応札者に対して明示可能な環境を作り、且つ、そのシステムを利用したいと出展者が希望するとき、表示が選択できるようにする。【選択図】なし【特許請求の範囲】
【請求項１】
通常、競売は物件を売却したい者が「最低応札金額」を提示する。その金額以上の応札があれば落札されてもよい、との前提で競売に出展します。一方、応札者は購入にあたり、その提示された最低応札価格以上の金額であれば落札できる機会があることとして応札します。この場合、応札者の提示する金額が最低応札金額であっても、他に応札がなければ落札されることを前提としています。
【請求項２】
わが国では、伝統的に不動産の売却は「売価提示方式」が通例でした。売り主がこの程度の金額で売却できれはほぼ満足できる価格を提示します。購入希望者はその金額ないしそれ以下の金額を提示します。双方間で価格交渉の結果、妥協が成立すれば契約に至る、つまり相対取引ではあるが「競り下がり方式」の中での価格交渉がなされていました。
【請求項３】
競売方法には「競り上がり方法」と「競り下がり方法」が理論的にはありますが、いわゆる公開オークションの場合、殆ど「競り上がり方法」が採用されています。
【請求項４】
こうした不動産取引慣行の定着しているなかで、近年、不動産取引をインターネットを利用した競売方式で取引を進めようという機運が醸成され、多くのサイトが立ち上がっています。これらの競売市場では「最低売却価格」を提示し、競り上がりにより取引を進められることになっています。
【請求項５】
売り主は可能な限り高く売却したいと思っているにもかかわらず、競売では「最低応札金額」を提示し、そこから競売が開始され、競り上りで価格がより高く決定することを期待しています。しかし、その期待どおりの応札がなければ、本来売りたくない金額でも落札され売却しなければならないという、大きな心理的障害が生じています。従って、どうしても高い最低応札金額の提示となります。その結果、応札者にとっては魅力のない物件の場合が多く、いきおい応札は低調とならざるを得ない環境にあります。
【請求項５】
今回の提案は、インターネット上で物件を競売に出すとき「出展中止」がきることを前提に出展します。従って、最初に「最低応札金額」でなく、極めて低い「発句金額」から競売を開始することができます。低い金額なので、どんどん応札者からより高い応札金額の提示がなされ競り上がります。
【請求項６】
最終応札期日に到達したとき、売り主が胸の内に描いていた「最低売却価格」以上になれば、そのまま最終応札期日を迎えて落札されます。しかし、最終応札期日を迎える頃になっても、そのときまでの応札の勢いや応札価格が低く、希望する最低売却価格に到達しそうにないと判断したとき、売り主は「出展中止」として、競売から物件を取り下げることになります。
【請求項７】
これと同じ効果を持つ「自己落札」があります。売り主が、最初からその金額では売りたくないような低い「最低売却価格」を提示し、応札があっても、売り主が本当に売却してもよいと考えている最低売却価格に到達しなれば、売り主自らが高い応札金額を提示して、自分に落札することをいいます。
この場合、部外者の応札者から分からないところで、高い金額で落札されたように見えます。これでは公正な競売とはいえません。誰からも分かる形で競売が行われるべきです。
【請求項７】
今回の提案は、最初から売り主の期待する応札金額に到達しないときは、物件を取り下げることもあり得る、と告知した上で物件を競売に出すものです。そのために売り主側が「出展中止」とすることが必要です。従って、低い「発句金額」から競売が開始することができます。応札者も自分が落札してもよいと思う金額まで応札しますので、活発に競売が進行します。こうして公正な競売市場が形成されます。
【請求項７】
物件出展者も最低売却金額を明示しませんが、応札者もどこまで買い進める積もりか明示していません。両者が対等の立場で競売を進め、その中で自然と価格形成が図られ、公正な競売が実現できます。
【発明の詳細な説明】
【技術分野】
【００１】競売で物件を売却しょうとするものが、希望する金額の応札に達しないと判断したとき、「出展中止」として物件を取り下げることを認める。
【背景技術】
【００２】競売の応札者は、余りに低い金額の提示をしても、落札できないこともあることを承知しながら応札に参加する。【００３】物件を出展するものは、売却したいが希望する応札がなければ物件を取り下げることができるので、低い「発句金額」から競売を開始することができる。当然、活発な応札が期待でき、競売は活況を呈する。
【発明の開示】
【発明が解決しようとする課題】
【００４】「出展中止」と「発句金額」を利用した競売。【００５】「最低応札金額」を提示しながら、「自己落札」による欺瞞に満ちた落札を行う競売を排除する。
【課題を解決するための手段】
【発明の効果】
【００６】この制度を採用することで、物件を競売により売却したいものは、納得した金額による売却ができ、公正な競売市場が形成される。
【発明を実施するための最良の形態】
【００７】インターネット環境下において、不動産を競売により売却するとき、「出展中止」を認めることで、予め決められた最終応札日以前であれば、出展者が自由に競売市場から物件を取り下げたり、落札を選択することができて公正な競売市場が形成される。
【実施例】
【００９】「不動産オークション・ドットコム」のサイトにおいて利用している。
ｈｔｔｐ：／／ｆｕｄｏｕｓａｎ−ａｕｃｔｉｏｎ．ｃｏｍ／
(57)【要約】      （修正有）【課題】キーボードやマウス周辺の机の上は、乱雑極まりない状況にある。特に、マウス周辺は、筆記具やコーヒーカップ、茶菓子が散乱しており、マウス操作を損ねている。この乱雑状況から開放し、マウス操作が非常に楽になるマウススペースを確保する。【解決手段】パソコンのキーボード上の空間に幅１３ｃｍ、長さ１７ｃｍの平板（以後、ラックと称す。）に対し、傾斜角１８度程度の幅１３ｃｍ、長さ１０ｃｍの平板（以後、底板と称す。）をキーボード底に入れ、マウスラックを設ける。（幅、長さは限定しない。）【選択図】図１
2009163697.tif 000002
【特許請求の範囲】
【請求項１】
パソコンのキーボード上の空間に幅１３ｃｍ、長さ１７ｃｍの平板（以後、ラックと称す。）に対し、傾斜角１８度程度の幅１３ｃｍ、長さ１０ｃｍの平板（以後、底板と称す。）をキーボード底に入れ、マウスラックを設ける。（幅、長さは限定しない。）
【請求項２】
請求項１のラック及び底板上部にマウスパッドを敷き詰め、手首に当たる位置には、マウスが滑り落ちないようにマウス受け兼手首用パッドを設ける。
【請求項３】
請求項１のラックと底板の結合部にＴ型スライドを設け、テンキー使用時及びマウス未使用時にキーボード上から右側へ移動させ、キーボード全域の操作を可能とさせる。
【請求項４】
請求項２のマウスパッド上部に円溝１．５ｃｍ設け、マウスラックのコードが上下するスライド道とする。これにより、スライド道を支点としたマウスの自由運動が可能となる。
【発明の詳細な説明】
【技術分野】
【０００１】  パソコン作動時のマウス使用の際、デスクの上の筆記具や書類等があるため、マウス周辺が狭くクリック動作等に支障を来している状況にあり、マウス周囲の整理整頓が非常に望まれる。特にパソコンラックのキーボード台はマウススペースが少ない現状である。そこで本発明は、キーボード上の空間を利用してマウススペースを実現した、マウス専用テーブル「マウス  ラック」を開発したものである。
【背景技術】
【０００２】  パソコン社会の現在、会社・家庭においては、マウスを触っていない者がいない程である。例え、マウスに変わるものが装備されているノートパソコン愛用者においても、マウス操作が主流になっている状況にある。
【発明の開示】
【発明が解決しようとする課題】
【０００３】  会社においては、一人１台パソコンが机の上に平然と置かれ、周囲には書類の山、筆記具やコーヒーカップ、茶菓子が散乱している中、マウスが埋もれている状況を目にすることも珍しくはない。また、家庭においても同様に、日用品や筆記具がマウススペースを損ねている有り様である。本発明は、以上の問題を一挙に解決した空間利用発案品である。
【課題を解決するための手段】
【０００４】  キーボードの右端頭上に幅１３ｃｍ、長さ１７ｃｍマウスパッド使用の平板（材質はプラスチック又は金板）を角度１８度程度の底板を結合させることでキーボード上の空間利用のマウスラックができる。
【発明の効果】
【０００５】  本発明を使用することでマウスを探すことなく、自然にマウスの定位置に手が伸び操作が開始できる。また、手首の角度がマウスパッドに合致し馴染みやすいため、マウス操作が非常に楽な体勢になり、仕事能率が向上する。その上、コーヒー等のこぼれやすい息抜き飲料水や茶菓子などをすぐそばに置くことができ、マウス操作で落下する心配もない。更にマウスコードをパッドの上方中心に確保することでマウスケーブルによる周囲の小物をかき混ぜることもないため、マウス操作中の煩わしさが解決できる。このようにマウススペースの安定が様々な効果をもたらす優れものである。
【発明を実施するための最良の形態】
【０００６】  以下、本発明の実施の形態を説明する。
（ア）特許請求範囲の主とする（１）マウスラック平板、（２）マウスラック底板、（３）マウスパッド、（４）マウス受け用手首パッドを設ける。
（イ）マウスの機能を上昇させるパッドを平板上に張り（３）、マウスが滑り落ちないようにマウス受けと手首に馴染む兼用パッド（４）を設ける。
（ウ）（１）と（２）を分離させ、テンキー使用時又は、マウス不必要の際にスライドさせ、キーボード上をクリア状態にできるＴ型結合部（５）を設ける。
（エ）マウスコードの止め穴（６）をマウスパッド上方に設ける。
【図面の簡単な説明】
【０００７】
【図１】本発明とキーボードの左断面全容図
【図２】本発明とキーボード使用時の正面全容図
【図３】キーボード上クリア状態時の正面全容図（想定）
【符号の説明】
【０００８】  （１）マウスラック平板（特許請求範囲の主）、（２）マウスラック底板（特許請求範囲の主）、（３）マウスパッド、（４）マウス受け用手首パッド、（５）Ｔ型結合部、（６）コード止め穴
【図１】
2009163697.tif 000003
【図２】
2009163697.tif 000004
【図３】
2009163697.tif 000005
(57)【要約】【課題】  従来の三脚より携帯性を良くし、また頻繁に付け外しをしなくても邪魔にならないよう小型軽量化したカメラホルダーとする。さらに机上や台の上にカメラを置いてセルフ撮影等できるようカメラスタンドの機能も持たせる。【解決手段】  カメラホルダーの上板２と下板７の２枚の板で木の枝、柵のパイプ、ピッケルやステッキのグリップ等棒状の物や机の端のような板状の部分等を挟み設置できる。また机上や台等の上にも置くことが出来るようカメラホルダーの下板７は２枚で構成しＶ字形に開くようになっていることを特徴とする【選択図】図１
2009163194.tif 000002
【特許請求の範囲】
【請求項１】
カメラでセルフタイマー撮影等をするときそれを棒状の物や板状の物等に取り付けることができ、またテーブルや平面状の台の上等にも設置することが出来るカメラホルダー。
【請求項２】
カメラホルダーの上板と下板で棒状の固定物あるいは板状等の固定物を挟みカメラを設置することが出来るカメラホルダー。
【請求項３】
カメラホルダーの上板と下板で棒状あるいは板状等のものを安定的に挟むことができるよう上板と下板の挟む側に弾力性があり滑り難いクッション板等の物を取り付ける。
【請求項４】
カメラホルダーの下板は２枚で構成されＶ字型に開くことができる。これによりカメラを机や平面的な台の上等に置くことができる。
【請求項５】
ポールと上板および下板はネジで組み立てられ、また分解することも出来る。
【請求項６】
カメラ取り付け部の皿形ワッシャーは中央のネジを通す穴を大きめにすることによりカメラの傾きを調整できる。
【発明の詳細な説明】
【技術分野】
【０００１】  本発明はカメラを固定して置き撮影する場合等に使用するカメラの保持固定台に関する。
【背景技術】
【０００２】  従来、カメラで長時間露光撮影や自分自身を撮影する場合は主にカメラ用三脚を用いている。【０００３】  旅行等で仲間全員が写りたい場合には他人に撮影を依頼している。【０００４】  なお、本願発明に関連する公知技術として次の特許文献１及び非特許文献１を挙げることができる。
【特許文献１】  特許公開２００５−３３８７３８  特許公開２００５−２７５０８１
【非特許文献１】
【発明の開示】
【発明が解決しようとする課題】
【０００５】  三脚はかさばり、重さもあり旅行等に持ち歩くのには荷物になる。またカメラを三脚に取り付けたままでを持ち運ぶのは困難。【０００６】  三脚を設置する場合スペースが必要で他人の邪魔になる場合がある。またカメラの三脚への着脱や三脚の設置には手間がかかる。【０００７】  机上や台の上にカメラを置いてセルフ撮影をする場合薄型カメラでは安定性に欠け設置向き調整も困難。
【課題を解決するための手段】
【０００８】  固定されている丸棒や板の端等に固定できるようカメラホルダーの上板と下板でそれらを確実に挟めるようにする。【０００９】  カメラの傾きを調整できるようカメラ取り付けネジに皿形ワッシャーを付ける。【００１０】  机上や平らな台の上に置くことが出来るようカメラホルダーの下板を２枚としＶ字形に開くようにする。【００１１】  分解や組み立てが簡単にできるようポールと下板の組み立てはネジ式にする。
【発明の効果】
【００１２】  どこにでもある木の枝、柵のパイプ、ピッケルの柄等棒状の物や机の端のような板状の部分等をカメラホルダーの上板と下板で挟み固定できるので設置が容易。また上板はポール上を上下にスライドするため平面台置きにした場合はカメラの高さ調整に使える。【００１３】  カメラ取り付けネジの皿形ワッシャーによりカメラの傾きを自由に調整することが出来る。【００１４】  カメラホルダーの下板をＶ字形に開けば机上や平らな台の上に安定的に置くことが出来る。【００１５】  カメラホルダーは小型軽量のためカメラに取り付けたままでバッグに入れることができる。【００１６】  ポールは下板へネジ込み式のため分解、組み立てが簡単にでき分解すれば運搬や保管が容易。
【発明を実施するための最良の形態】
【００１７】  以下、本発明の実施の形態を図面に基づき詳細に説明する。【００１８】  図１〜図３は本発明の第１の実施の形態に係り、図１は全体の正面図、図２は上板の平面図、図３は下板の平面図である。【００１９】  図１に示すように上板固定ネジ４を緩め棒状の物あるいは板状の部分等を上板２と下板７で挟み上板固定ネジ４を締めて固定する。【００２０】  カメラ１０の傾きを調整きるよう皿形ワッシャー６の穴は大きくする。【００２１】  机上や平らな台の上に置いて撮影できるよう下板７を２枚で構成しＶ字形に開く構造とする。【００２２】  分解、組み立てを可能とするためポール１の下端は雄ネジとし下板７は雌ネジとする。
【実施例】
【００２３】  実施の形態で示す
【産業上の利用可能性】
【００２４】  本発明は計測器や測定器の設置や保持に利用できる。
【図面の簡単な説明】
【図１】  本発明の全体の正面図である。
【図２】  図１上板の平面図である。
【図３】  図１下板の平面図である。
【符号の説明】
【００２５】  １、ポール          ２、上板            ３、上板クッション板  ４、上板固定ネジ  ５、カメラ固定ネジ  ６、皿形ワッシャー  ７、下板          ８、下板クッション板  ９、ゴム足        １０、カメラ
【図１】
2009163194.tif 000003
【図２】
2009163194.tif 000004
【図３】
2009163194.tif 000005